(57)【要約】  消費財用の容器（１０）は、ボックス（１４）およびリッド（１６）を備える外側ハウジング（１２）であって、外側ハウジング（１２）の後部壁を横切って延びるヒンジ線に沿ってリッド（１６）がボックス（１４）にヒンジ留めされているものと、ボックス（１４）内の消費財のパッケージ（１８）とを備える。再封可能な密封カバー部材（１００）は、パッケージ内の出し入れ口（２０）を塞ぐ。再封可能な密封カバー部材（１００）は、繊維質セルロース系材料を備える基層（１０２）と、基層（１０２）の外側に提供された金属含有層（１０４）と、基層（１０２）の内側に提供された第一の高分子層（１０６）とを備える。【選択図】図１
2019535601.tif 000002
【特許請求の範囲】
【請求項１】
消費財のための容器であって、
ボックスおよびリッドを含む外側ハウジングであって、前記外側ハウジングの後部壁を横切って延びるヒンジ線に沿って前記リッドが前記ボックスにヒンジ留めされているものと、
前記ボックス内の消費財のパッケージであって、前記パッケージが消費財を取り外すことができる出し入れ口を有し、かつ前記出し入れ口を塞ぐ再封可能な密封カバー部材を備え、前記カバー部材が少なくとも前記出し入れ口の上にある閉位置から前記カバー部材が移動可能、および前記カバー部材が前記パッケージの前記外表面から少なくとも部分的に持ち上げられている開位置から前記カバー部材が移動可能なように、前記再封可能な密封カバー部材の少なくとも一部分を前記パッケージの残りの部分に少なくとも部分的に貼り付けるための接着剤の配置が前記再封可能な密封カバー部材の下側に提供されていて、また前記リッドを開口すると、前記再封可能なカバー部材が前記閉位置から前記開位置に向けて移動して、前記出し入れ口が少なくとも部分的に見えるように、前記再封可能なカバー部材が前記リッドの内表面に永久的に貼り付けられているものとを備え、
前記再封可能な密封カバー部材が、
繊維質セルロース系材料を含む基層と、
前記基層の外側に提供された金属含有層と、
前記基層の内側の上に提供された第一の高分子層とを備える、容器。
【請求項２】
前記再封可能な密封カバー部材が、前記金属含有層と前記基層の間に提供された第二の高分子層をさらに含む、請求項１に記載の容器。
【請求項３】
前記金属含有層が金属インクを含む、請求項１または２に記載の容器。
【請求項４】
前記金属含有層が、前記再封可能な密封カバー部材の第一の部分上にのみに延びる、請求項１〜３のいずれか一項に記載の容器。
【請求項５】
前記再封可能な密封カバー部材の第二の部分が、前記リッドの内表面に永久的に貼り付けられていて、前記再封可能な密封カバー部材の前記第二の部分が前記第一の部分と重なり合わない、請求項４に記載の容器。
【請求項６】
第一のプライマー層が、前記基層の外側に提供されていて、再封可能な密封カバー部材の第二の部分上のみに延びる、請求項５に記載の容器。
【請求項７】
前記再封可能な密封カバー部材の下側に接着剤のない領域がある、請求項１〜６のいずれか一項に記載の容器。
【請求項８】
前記再封可能な密封カバー部材が、前記金属含有層の外側に提供されたワニス層をさらに備える、請求項１〜７のいずれか一項に記載の容器。
【請求項９】
前記基層の坪量が少なくとも約２０グラム／平方メートルである、請求項１〜８のいずれか一項に記載の容器。
【請求項１０】
前記基層が少なくとも３０重量パーセントの前記繊維質セルロース系材料を含む、請求項１〜９のいずれか一項に記載の容器。
【請求項１１】
前記再封可能な密封カバー部材が、前記出し入れ口の周辺を越えて延び、また前記再封可能な密封カバー部材の前記内表面の後部ヒンジ領域上に提供された永久接着剤によって、少なくとも部分的に永久的に前記パッケージに貼り付けられていて、かつ少なくとも前記出し入れ口の前部縁端の周りに延びる前記再封可能な密封カバー部材の前記内表面の第二の領域上に提供された再密封可能な接着剤によって、少なくとも部分的に取り外し可能に前記パッケージに貼り付けられている、請求項１〜１０のいずれか一項に記載の容器。
【請求項１２】
前記再封可能な密封カバー部材が上部および下部を備え、前記出し入れ口の前記周辺に延びる前記下部の前記内表面の第一の領域上に提供された永久接着剤によって前記下部が前記パッケージに貼り付けられていて、前記下部が、前記パッケージの前記出し入れ口と少なくとも部分的に整列された切り抜き部分を備え、また前記上部が、前記上部の前記内表面の後部ヒンジ領域上に提供された永久接着剤によって、少なくとも部分的に永久的に前記下部に貼り付けられていて、かつ前記上部が少なくとも前記出し入れ口の上にある閉位置から、および前記切り抜き部分が見えるように前記上部が前記下部から持ち上げられている開位置から移動可能なように、前記ヒンジ領域から遠位に延びる前記上層の前記内表面の剥離領域上に提供された第二の接着剤によって、少なくとも部分的に取り外し可能に前記下部に貼り付けられている、請求項１〜１０のいずれか一項に記載の容器。
【請求項１３】
前記上部が前記基層、前記金属含有層、および前記第一の高分子層を含み、前記下部が少なくとも一つのさらなる材料層を含む、請求項１２に記載の容器。
【請求項１４】
前記パッケージがシート状ブランクから形成されていて、これは折り畳まれた時に、前記消費財を収容する密封された筐体を形成する、請求項１〜１３のいずれか一項に記載の容器。
【請求項１５】
パッケージが、重なり合って消費財の群の周囲にラッピングを形成するように、前記ブランクの端部がひとまとめにされるように、前記ブランクを折り畳むことによって形成されていて、また前記密封領域が、前記ブランクの前記重なり合う端部にわたり少なくとも部分的に延び、かつ前記ブランクの前記重なり合う端部がまとめて密封されている、請求項１４に記載の容器。
【発明の詳細な説明】
【技術分野】
【０００１】
本発明は、消費財のための容器に関する。本発明による容器には、喫煙物品などの細長い消費財品目用の容器としての特定の用途がある。
【背景技術】
【０００２】
喫煙物品は典型的に、ボックスと、容器の後部壁を横切って延びるヒンジ線に沿ってボックスにヒンジ留めされたリッドとを備える、剛直なヒンジリッド容器にパッケージされている。ボックス内に収容されている喫煙物品の束は一般的に、柔軟なシート材料から形成された内側ライナー、またはパッケージ内に包装されている。
【０００３】
容器の一つのグループでは、パッケージは出し入れ口を有し、それを通して消費財を取り外すことができ、かつパッケージは出し入れ口を塞ぐ再封可能な密封カバー部材を有する。再封可能な密封カバー部材は典型的に、プラスチック製または金属製のラミネートで形成されている。
【０００４】
エコ配慮を高める目的で、容器の特徴および機能を改善するニーズが存在し続ける。特に、この点で、分解可能な材料またはリサイクル可能な材料の含有量を増加させるように、高分子材料の含有量が低減された消費財用の容器を提供することが望ましい。しかし、これは理想的には、有用性と信頼性を損なうものであるべきではなく、よって再封可能な密封カバー部材などの構成要素の機械的性質が保持されるか、または潜在的にさらに強化される、一つのこうした容器を提供することが望ましい。
【発明の概要】
【０００５】
本発明の第一の態様によると、ボックスおよびリッドを含む消費財用の容器であって、外側ハウジングの後部壁を横切って延びるヒンジ線に沿ってリッドがボックスにヒンジ留めされているものと、ボックス内の消費財のパッケージとを備える消費財用の容器が提供されている。容器の一つのグループでは、パッケージは出し入れ口を有し、それを通して消費財を取り外すことができ、かつパッケージは出し入れ口を塞ぐ再封可能な密封カバー部材を有する。カバー部材は、カバー部材が少なくとも出し入れ口の上にある閉位置から、およびカバー部材がパッケージの外表面から少なくとも部分的に持ち上げられている開位置から移動可能である。再封可能なカバー部材はリッドの内表面に永久的に貼り付けられていて、リッドを開口すると、再封可能なカバー部材が閉位置から開位置に向けて移動して、出し入れ口が少なくとも部分的に見えるようになる。再封可能な密封カバー部材は、繊維質セルロース系材料を備える基層と、基層の外側に提供された金属含有層と、基層の内側に提供された第一の高分子層とを備える。
【０００６】
本明細書で使用される「前部」、「後部」、「上側」、「下側」、「上部」、「下部」および「側部」という用語は、容器が直立の位置にあり、容器の出し入れ口が容器の上部にある時の、本発明による容器の一部分とその構成要素の相対的な位置を意味する。本発明による容器を説明する時、説明される容器の向きに関係なく、これらの用語が使用される。外側ヒンジリッド・ハウジングの後部壁は、ヒンジ線を含む壁である。
【０００７】
本発明による容器を説明する時、「長軸方向の」という用語は、下部から上部への方向、またはその逆の方向を意味し、一方「横断する」という用語は、長軸方向と直角を成す方向を意味する。例えば、「容器の長軸方向軸」は、下部から上部に、またはその逆で上部から下部に延びる軸である。
【０００８】
「幅」という用語は、横断方向に測定した、ブランクのパネル、または容器の壁などの要素の寸法を説明するために使用される。
【０００９】
「パネル」という用語は、組み立てられた容器の壁を形成するために使用されるブランクの一部分に言及するために本明細書を通して使用される。パネルは、一つ以上の折り目に沿って一つ以上の他のパネルに従属してもよい。
【００１０】
「折り目」という用語は、二つの隣接するパネルの間の折り畳みを意味する。容器を形成する時、隣接するパネルは、その共通の折り目に沿って折り畳まれ、これは容器の、または容器の部分の縁端を画定しうる。
【００１１】
組み立てられた容器では、「壁」は一つのまたは幾つかの重なり合うパネルから形成されうる。幾つかの重なり合うパネルがある場合、これらは、例えば接着剤によって互いに取り付けられうる。さらに、壁は二つ以上の隣接しているまたは重なっているパネルで形成されてもよい。
【００１２】
「高さ」という用語は、要素の幅に直角を成す方向に測定される、一つのこうした要素の寸法を説明するために使用される。ブランクの要素を説明する時は概して、ブランクの平坦な状態での要素について説明される。
【００１３】
本明細書で使用される「厚さ」という用語は、シート状ブランクまたはシート状ブランクの層の二つの相反する表面の間を測定した最小距離を指す。実際には、所与の位置の距離は、相反する面に対して局所的に直角を成す方向に沿って測定される。層の「厚さ」は一般に、層（平坦な断面）全体で実質的に一定である。ところが、シート状ブランクの部分が例えば、エンボス加工、デボス加工、虚弱化などが施されている場合には、局所的な変動があってもよい。
【００１４】
「内表面」という用語は本明細書全体を通して、容器が閉位置にある時に、その容器の内部に面する（例えば、消費財に面する）組立済み容器の構成要素の表面を意味するために使用される。「外表面」という用語は本明細書全体を通して、その容器の外部に向かって面する容器の構成要素の表面を意味するために使用される。例えば、容器の前部壁は、容器および消費財の内側を向いている内表面と、消費財に背いている外表面とを有する。注目すべきは、内表面または外表面が容器の組立に使用されるブランクの一定の側に必ずしも相当しないことである。消費財の周辺でブランクがどのように折り畳まれるかに応じて、ブランクの同じ側にある領域は、容器の内側に面する可能性も外側に面する可能性もある。
【００１５】
「ヒンジ線」という用語は、ヒンジリッド・ハウジングを開くために、リッドが周りを旋回しうる線を意味する。ヒンジ線は、例えば容器の後部壁を形成するパネル内の折り目またはスコアラインであってもよい。
【００１６】
本明細書で使用される「従属」という用語は、本発明による容器の二つの要素間の物理的接続を説明するために使用される。より詳細には、「従属」という用語は、容器またはブランクの二つの壁またはパネルなど、二つの要素間に材料の連続性があることを示すために使用される。これは、壁またはパネルが、隣接する壁またはパネルに直接的に従属する場合、また中間の壁またはパネルが二つの壁またはパネルを効果的に接続する場合の両方を包含する。
【００１７】
一例として、側方壁または側方パネルは、隣接する前部壁または前部パネルに直接的に従属しうる。こうした場合、壁またはパネルは典型的に、隣接する壁から折り目に沿って従属する。別の方法として、丸みのあるまたは面取りされた縁端を有する容器では特に、側方壁または側方パネルは、前部壁または前部パネルに間接的に従属してもよい。こうしたケースでは、丸みのあるまたは面取りされた縁端を有する壁またはパネルは、側方壁または側方パネルと前部壁または前部パネルとを接続する。面取りされた縁端の場合、側方壁または側方パネルおよび前部壁または前部パネルはどちらも、それぞれの折り目に沿って接続する面取りされた縁端を有する壁またはパネルに従属してもよい。これはまた、例えば内側フレームの形態で提供された補強部材に、本発明による容器のオプションの構成要素に適用される。
【００１８】
「実質的に透明」という用語は、少なくともかなりの比率の入射光が通過することを可能にし、そのため可視スペクトルで透視可能な材料を説明するために使用される。本発明において、実質的に透明な層は、下にある層（例えば、金属含有層または紙含有層）が実質的に透明な層を通して見えるのに十分な光が通過することを可能にする。実質的に透明な層材料は、完全に透明であってもよい。別の方法として、層を形成する材料は低めの透明度を有しながらも、実質的に透明な層を通して下にある層が見えるのに十分な光を依然として透過しうる。
【００１９】
「虚弱線」という用語は本明細書で使用される場合、パッケージ（またはパッケージが形成されるブランク）の表面の一部分であって、そこからパッケージ（またはブランク）が形成される部分の構造強度が、例えば虚弱線に沿った曲げ、折り畳みまたは引き裂きに関した任意の適切な技術によって弱化されている部分を説明するために使用される。例えば、虚弱線は、スコアライン、筋付け線、切除線、または穿孔線として形成されうる。虚弱線は、材料を除去することによって、材料をずらすことによって、材料を圧縮することによって、材料をまとめて保持する力を局所的に低減することによって（例えば、繊維質材料内の繊維を破壊することによって）、また上記の組み合わせによって作成できる。虚弱線は、直線、曲線、断片的もしくは連続的な線、またはそれらの組み合わせであってもよい。数多くの例において、虚弱線は、ブランク内での折り目の位置付けを助けるために使用される。虚弱線はまた、例えば圧縮によって、虚弱線に垂直な方向に材料を強化するために使用されうる。さらに、虚弱線は装飾用途に使用できる。
【００２０】
「スコアライン」という用語は、ブランクの材料に部分的に切り込みを入れることによって形成される線を説明するために使用される。スコアラインは、ブランクから材料を除去することによって形成されてもよい（その場合、スコアラインはブランク内の溝または谷を形成する）。別の方法として、スコアラインはブランクからの任意の材料を除去することなく生成されてもよく、これには部分的な側方向のずれと材料の圧縮が典型的に伴い、厚さがゼロではないナイフが材料を貫通することによって引き起こされる。スコアラインの深さはブランクの厚さより小さくなる。
【００２１】
「筋付け線」という用語は、材料の一部分をブランクの平面に対して垂直にずらすことによって形成され、ブランクに溝または谷を形成する線を説明するために使用される。ずれは圧縮を伴う場合があり、ローラーなどの圧縮ツールの使用を典型的に伴う。別の方法として、または追加的に、筋付け線内の材料は、ブランクの反対側から少なくとも部分的に突き出るようにずらされてもよい。一般に、筋付け線が形成された時に、材料は除去されない。          
【００２２】
「切除線」という用語は、ブランクの表面から、切除によって所定の深さだけ材料を除去することによって（例えば、レーザービームまたはブレードによって）形成される線を説明するために使用される。
【００２３】
「穿孔線」という用語は、ブランク内の個別の孔またはスロットの線または配列を説明するために使用される。孔は、ブランクに物体を押し通すことによって形成されてもよい。この結果、例えばパンチングによって材料がブランクから除去されることになりうる。別の方法として、孔は材料を除去せずに作成されてもよく、代わりに物体を使用して物質を孔の中心から外向きに押すことができる。別の代替の方法として、孔はレーザービームによって形成されてもよい。
【００２４】
「折り目」という用語は、ブランクが折り畳まれるブランクの任意の線を説明するために使用される。折り目は、折り畳み作用を支援するための虚弱線によって画定されうる。別の方法として、例えばブランク材料およびその他の材料特性の成形しやすさに応じて、虚弱線の存在なしに折り畳みを形成することができる。
【００２５】
既存の容器とは対照的に、本発明の再封可能な密封カバー部材は、繊維質セルロース系材料を備える基層と、基層の外側に提供された金属含有層と、基層の内側に提供された第一の高分子層とを備える。繊維質セルロース系材料を含む基層を含むことによって、再封可能な密封カバー部材は、既存の容器の再封可能な密封カバー部材と比較して、より高い含有量の分解性材料およびリサイクル可能材料を有することができる。従って、有利なことに容器の環境配慮性は増大する。さらに、第一の高分子層が実質的に透明である実施形態において、実質的に透明な高分子層は、下にある基層を見えるようにするため、こうした環境配慮性の増大は消費者にとって、より簡単に知覚可能になりうる。
【００２６】
本発明において、繊維質セルロース系材料を含む基層を含めることは、再封可能な密封カバー部材の弾性特性に影響を与える。特に、リッドの開口中または閉口中に、カバー部材がリッドとともに移動する際に、セルロース系繊維は壊れうるかまたは損傷を受けうる。この結果、再封可能な密封カバー部材の一部がある状態に保持されたり、ある状態に有利に働いたりしかねず、従って再封可能な密封カバー部材の全体的な弾性的柔軟性が低減されうる。しかしながら、基層の内側に提供された第一の高分子層を含むことによって、本発明は、こうした悪影響を少なくとも部分的に補うことができる。すなわち、第一の高分子層は、再封可能な密封カバー部材が容器の使用中に、その全体的な弾性的柔軟性を失う可能性を低減するのに役立ちうる。結果として、カバー部材は、出し入れ口を反復的に塞ぐことにおいて、より効果的であることができ、それによって容器の内容物をより適切に保持するのを助ける。
【００２７】
さらに、第一の高分子層は、基層内に含まれる繊維質セルロース系材料の固有の不均一さと比較して、より滑らかな仕上がりを提供することができる。これは有利なことに、再封可能な密封カバー部材が、消費財の周りに折り畳まれたシート状ブランクなど、パッケージの隣接した構成要素に対して、より適切に接着またはシールされるのを助けうる。さらに、第一の高分子層は、基層の内側の保護バリアを提供することができ、これは、基層の繊維質材料から生じる粉塵の微粒子が、再封可能な密封カバー部材をパッケージの残りの部分に取り付けるために使用される任意の製造装置を汚染しないようにするのを助ける。
【００２８】
追加的に、第一の高分子層は、基層内に含まれる繊維質セルロース系材料の固有の不均一さと比較して、より滑らかな仕上がりを提供してもよく、それによって、出し入れ口を囲むパッケージの領域上に重なるか、またはその領域に接着されている、より適切な表面を提供しうる。これは、繊維質の基層内に典型的に存在しうる細孔およびチャネルをより適切に塞ぐのを助け、それによって再封可能な密封カバー部材の閉鎖または密封特性をさらに改善する。
【００２９】
本発明による容器は製造が簡単で、かつ既存のパッケージ装置の大幅な修正を必要としない。特に、再封可能な密封カバー部材をパッケージの残りの部分または容器のリッドに取り付けるためのプロセスを変更する必要はない。
【００３０】
再封可能な密封カバー部材は、基層、金属含有層および第一の高分子層のみから成りうる。別の方法として、再封可能な密封カバー部材は、それぞれ外側に、または内側に、または基層と金属含有層と第一の高分子層との間に配置された一つ以上の追加的な層を備えうる。
【００３１】
従って、一部の好ましい実施形態において、再封可能な密封カバー部材は、金属含有層と基層の間に提供された第二の高分子層をさらに含む。第二の高分子層は、再封可能な密封カバー部材の弾性的柔軟性をさらに向上させるのに役立ちうる。第二の高分子層は、第一の高分子層と同一の材料で形成されていることが好ましい。第二の高分子層は、第一の高分子層と同一の厚さを有することが好ましい。
【００３２】
第二の高分子層は、基層の外側に金属含有層を提供するための製造プロセスを支援しうる。すなわち、第二の高分子層は、基層内に含まれる繊維質セルロース系材料の固有の不均一さと比較して、より滑らかな仕上がりを提供することができ、それによって、より望ましい基体を形成することができ、この上に金属含有層が提供される。
【００３３】
金属含有層は任意の適切な形態を有してもよい。例えば、金属含有層はアルミ箔などの箔の形態でもよい。金属含有層は銀インクなどの金属インクを含むことが好ましい。これは、印刷によって金属含有層が提供されることを可能にし、これは金属含有層が再封可能な密封カバー部材の全体にわたって延びない時に特に有利でありうる。さらに、これはまた、金属含有層を比較的に薄くすることを可能にし、それによって費用効率を向上することができる。より薄い金属含有層は、より厚い金属含有層よりも弾性的に柔軟でありうる。これはまた、再封可能な密封カバー部材が容器の使用中に、その全体的な弾性的柔軟性を失う可能性を低減するのに役立ちうる。結果として、カバー部材は、出し入れ口を反復的に塞ぐことにおいて、より効果的であることができ、それによって容器の内容物をより適切に保持するのを助ける。
【００３４】
従って、金属含有層の厚さは、少なくとも約１０マイクロメートル未満であることが好ましい。金属含有層の厚さは、少なくとも約５マイクロメートル未満であることがより好ましい。加えて、または別の方法として、金属含有層の厚さは、少なくとも約１マイクロメートルであることが好ましい。金属含有層の厚さは、少なくとも約２マイクロメートルであることがより好ましい。
【００３５】
金属含有層の坪量は、少なくとも約１グラム／平方メートルであることが好ましい。金属含有層の坪量は、少なくとも約２グラム／平方メートルであることがより好ましい。加えて、または別の方法として、金属含有層の坪量は、約１０グラム／平方メートル未満であることが好ましい。金属含有層の坪量は、約５グラム／平方メートル未満であることがより好ましい。特に好ましい実施形態において、金属含有層の坪量は、約２グラム／平方メートル〜約６グラム／平方メートルである。金属含有層の坪量は、約４グラム／平方メートルであることが特に好ましい。
【００３６】
一部の好ましい実施形態において、金属含有層は、再封可能な密封カバー部材の第一の部分上のみに延びる。これは、一つ以上の部分が金属製の外観を持たないことが望ましい場合に有利でありうる。例えば、一部の実施形態において、製造目的で再封可能な密封カバー部材の一部に見当合わせマークを提供することが好ましい場合がある。この場合、見当合わせマークは、非金属に見える背景上に提供されている場合に、より識別可能でありうる。別の例として、金属に見える必要がないブランクの部分があってもよい。例えば、リッドの内表面に永久的に貼り付けられた再封可能な密封カバー部材の部分は、容器の通常の使用中に消費者に見える可能性が低い。結果として、再封可能な密封カバー部材のこの部分は金属含有層を持たないことが望ましい場合があり、その理由は、金属含有層を持たないことが、容器の有用性または外観に影響を与えることなく、容器による環境への影響を低減するのに役立ちうるからである。
【００３７】
従って、一部の好ましい実施形態において、再封可能な密封カバー部材の第二の部分は、リッドの内表面に永久的に貼り付けられていて、再封可能な密封カバー部材の第二の部分は、金属含有層を有する容器の第一の部分と重なり合わない。こうした実施形態において、リッドの内表面は流体案内要素を有し、再封可能な密封カバー部材の第二の部分は、流体案内要素の領域内のリッドの内表面に永久的に貼り付けられていることが好ましい。流体案内要素は、容器の壁内の窪みまたは切り抜きなどの凹部としうる。こうして、流体案内要素は、中に接着剤を受けて案内するように適応された貯蔵所としての役目を果たすことができ、流体案内要素外への接着剤の塗り付けや移動を低減する。こうした実施形態において、流体案内要素内の接着剤が、再封可能な密封カバー部材の第二の部分の基層に直接接着することが特に望ましい場合がある。これは、基層内の繊維とリッドの内表面内の繊維との間の直接的な接着を可能にし、従ってリッドの内表面と再封可能な密封カバー部材との間の強力な取り付けを提供しうる。
【００３８】
再封可能な密封カバー部材の下側には、接着剤の配置が提供されうる。これは、再封可能な密封カバー部材の少なくとも一部をパッケージの残りの部分に少なくとも部分的に貼り付けるために使用できる。接着剤の配置は、再密封可能な接着剤および永久接着剤を含むことが好ましい。永久接着剤は、出し入れ口の後部縁端の周辺部に沿って再封可能な密封カバー部材をパッケージに貼り付けることが好ましい。再密封可能な接着剤は実質的に、出し入れ口の残りの部分の周辺部の周りに提供されることが好ましい。これは従って、リッドが閉位置にある時に接着剤の配置が再封可能な密封カバー部材と下にある内側パッケージとの間のシールを形成するように、出し入れ口の周りに接着剤の連続ループを形成することができる。
【００３９】
接着剤の配置は、再封可能な密封カバー部材の下側で接着剤領域を横切って延びる。接着剤領域は、再封可能な密封カバー部材の下側全体を覆ってもよい。再封可能な密封カバー部材の下側が接着剤のない領域を含むように、接着剤領域は再封可能な密封カバー部材の下側の一部分のみを覆うことが好ましい。接着剤のない領域は、リッドの内表面に永久的に貼り付けられた再封可能な密封カバー部材の第二の部分の少なくとも一部分を横切って延びることが好ましい。特に好ましい実施形態において、接着剤のない領域は、リッドの内表面に永久的に貼り付けられた再封可能な密封カバー部材の第二の部分の面積よりも大きい。
【００４０】
こうした実施形態において、再封可能な密封カバー部材の第二の部分には、非金属の別のインクが提供されうる。これは、リッドの内表面に永久的に貼り付けられた再封可能な密封カバー部材の部分を識別するのに役立ちうる。別の方法として、再封可能な密封カバー部材の第二の部分にインクが提供されなくてもよい。いずれの場合においても、再封可能な密封カバー部材の第二の部分にプライマー層を含めることが好ましい場合があり、これは非金属インク（存在する場合）を覆うか、または再封可能な密封カバー部材の第二の部分に対応する基層の外側の一部分を覆う。従って、一部の好ましい実施形態において、プライマー層は、基層の外側に提供されていて、再封可能な密封カバー部材の第二の部分上のみに延びる。こうしたプライマー層は、再封可能な密封カバー部材の第二の部分をリッドの内表面に永久的に貼り付ける時に有用でありうる。
【００４１】
金属含有層は、再封可能な密封カバー部材の外表面の少なくとも一部分を形成しうる。しかしながら、一部の好ましい実施形態において、再封可能な密封カバー部材は、金属含有層の外側に提供されたワニス層をさらに備える。こうしたワニスは、再封可能な密封カバー部材の外表面の少なくとも一部分の外観をさらに改善するのに役立ちうる。
【００４２】
一部の好ましい実施形態において、再封可能な密封カバー部材は、第一の高分子層の内側の一部分上に提供されたプライマー層をさらに備える。こうしたプライマー層は、再封可能な密封カバー部材をパッケージの残りの部分に貼り付けるために接着剤を使用する時に有用でありうる。
【００４３】
基層の厚さは、少なくとも約２０マイクロメートルであることが好ましい。基層の厚さは、少なくとも約２５マイクロメートルであることがより好ましい。基層の厚さは、少なくとも約３０マイクロメートルであることがさらにいっそうより好ましい。加えて、または別の方法として、基層の厚さは、約８０マイクロメートル未満である。基層の厚さは、約６０マイクロメートル未満であることがより好ましい。基層の厚さは、約４０マイクロメートル未満であることがさらにいっそうより好ましい。特に好ましい実施形態において、基層の厚さは約３０マイクロメートル〜約４０マイクロメートルである。基層の厚さは、約３１マイクロメートルであることが特に好ましい。
【００４４】
基層の坪量は、少なくとも約２０グラム／平方メートルであることが好ましい。基層の坪量は、少なくとも約２５グラム／平方メートルであることがより好ましい。加えて、または別の方法として、基層の坪量は、約５０グラム／平方メートル未満であることが好ましい。基層の坪量は、約４０グラム／平方メートル未満であることがより好ましい。特に好ましい実施形態において、基層の坪量は、約２５グラム／平方メートル〜約３５グラム／平方メートルである。基層の坪量は、約３１グラム／平方メートルであることが特に好ましい。
【００４５】
好ましい実施形態において、基層は少なくとも３０重量パーセントの繊維質セルロース系材料を含む。基層は少なくとも５０重量パーセントの繊維質セルロース系材料を含むことがより好ましい。基層は少なくとも７０重量パーセントの繊維質セルロース系材料を含むことがさらにいっそうより好ましい。一部の特に好ましい実施形態において、基層は実質的に完全に繊維質セルロース系材料で形成されている。一例として、基層は紙のシートから形成されうる。繊維質セルロース系材料の含有量がより高いと、基層がより容易に分解されるようになる。
【００４６】
一部の好ましい実施形態において、再封可能な密封カバー部材は、出し入れ口の周辺を越えて延び、また再封可能な密封カバー部材の内表面の後部ヒンジ領域上に提供された永久接着剤によって、少なくとも部分的に永久的に前記パッケージに貼り付けられていて、かつ少なくとも出し入れ口の前部縁端の周りに延びる再封可能な密封カバー部材の内表面の第二の領域上に提供された再密封可能な接着剤によって、少なくとも部分的に取り外し可能にパッケージに貼り付けられている。
【００４７】
一部の好ましい実施形態において、再封可能な密封カバー部材は上部および下部を備え、出し入れ口の周辺に延びる下部の内表面の第一の領域上に提供された永久接着剤によって下部がパッケージに貼り付けられていて、下部は、パッケージの出し入れ口と少なくとも部分的に整列された切り抜き部分を備え、上部は、上部の内表面の後部ヒンジ領域上に提供された永久接着剤によって、少なくとも部分的に永久的に下部に貼り付けられていて、上部が少なくとも出し入れ口の上にある閉位置から、および切り抜き部分が見えるように上部が下部から持ち上げられている開位置から移動可能なように、ヒンジ領域から遠位に延びる上層の内表面の剥離領域上に提供された第二の接着剤によって、少なくとも部分的に取り外し可能に下部に貼り付けられている。上部は、基層、金属含有層、および第一の高分子層を含むことが好ましく、下部は少なくとも一つのさらなる材料層を含む。材料の少なくとも一つのさらなる層は、繊維質セルロース系材料、金属材料および高分子材料のうちの一つ以上を含みうる。
【００４８】
パッケージはシート状ブランクから形成されていることが好ましく、これは折り畳まれた時に、消費財を収容する密封筐体を形成する。こうした実施形態において、シート状ブランクは、繊維質セルロース系材料を含むシート状ブランク基層と、基層の外側に提供されたシート状ブランク金属含有層と、密封可能なポリオレフィンを含み、かつ基層の内側の少なくとも密封領域の上に提供された、シート状ブランクの第一の密封可能な層とを含むことが好ましい。こうしたパッケージは、重なり合って消費財の群の周囲にラッピングを形成するように、ブランクの端部がひとまとめにされるように、ブランクを折り畳むことによって形成されていて、また密封領域は、ブランクの重なり合う端部にわたり少なくとも部分的に延び、かつブランクの重なり合う端部がまとめて密封されていることが好ましい。
【００４９】
再封可能な密封カバー部材の一つ以上の高分子層のために、任意の適切な高分子材料を使用しうる。第一および第二の高分子層のいずれか一つに含める適切な密封可能な高分子材料は、ポリオレフィン系およびアクリル系のポリマーを含む。一部の好ましい実施形態において、密封可能な材料はポリエチレンまたはポリプロピレンを含む。
【００５０】
本発明の容器は随意に外側ラッパーを含んでもよく、これは例えば高密度または低密度ポリエチレン、ポリプロピレン、方向性ポリプロピレン、ポリ塩化ビニリデン、セルロースフィルム、またはその組み合わせなどの透明高分子フィルムであることが好ましく、また外側ラッパーは従来的な方法で施される。外側ラッパーは開封テープを含んでもよい。加えて、外側ラッパーには画像、消費者情報、またはその他のデータを印刷してもよい。
【００５１】
本発明による容器には、たばこを燃焼するのではなく、例えば電気熱源または炭素熱源によって加熱することに依存する細長い喫煙物品（例えば、紙巻たばこ、葉巻たばこ、シガリロまたはその他のエアロゾル発生器など）用の容器としての特定の用途がある。当然のことながら、その寸法を適切に選択することによって、本発明による容器は、異なる数の従来サイズ、キングサイズ、スーパーキングサイズ、スリムまたはスーパースリムの紙巻たばこ用に設計されてもよい。別の方法として、その他の消費財を容器内に収容してもよい。
【００５２】
寸法の適切な選択によって、本発明による容器は、異なる合計数の喫煙物品、または異なる配置の喫煙物品を保持するように設計されてもよい。例えば、寸法の適切な選択によって、本発明による容器は、合計１０〜３０の喫煙物品を保持するように設計されてもよい。喫煙物品は、喫煙物品の合計数に応じて、異なる並べ方で配置されてもよい。
【００５３】
ここで、例証としてのみであるが、以下の添付図面を参照しながらさらに本発明を説明する。
【図面の簡単な説明】
【００５４】
【図１】図１は、本発明による容器の実施形態の概略的な斜視図を示す。
【図２】図２は、図１の容器の再封可能な密封可能カバー部材の上部の図および下部の図を示す。
【図３】図３は、図２の再封可能な密封可能カバー部材の第一の断面図を示す。
【図４】図４は、図２の再封可能な密封可能カバー部材の第二の断面図を示す。
【発明を実施するための形態】
【００５５】
図１は、本発明による容器１０を示す。容器１０は、直方体であり、かつボックス１４とリッド１６とを含む外側ハウジング１２を備える。リッド１６は、ハウジング１２の後部壁を横切って延びるヒンジ線を中心としてヒンジ留めされていて、かつ開位置（図１に示す）と閉位置の間で回転可能である。さらに、容器１０は、喫煙物品の群を含み、ボックス１４の中に収容されている内側パッケージ１８を備える。
【００５６】
パッケージ１８は、内側パッケージの上部壁および前部壁を横切って延びる出し入れ口２０を備える。リッド１６が開位置にある時に、出し入れ口を通して内側パッケージ１８内に収容された喫煙物品を取り外すことができる。内側パッケージ１８は、パッケージの出し入れ口２０を塞ぎ、かつパッケージの出し入れ口の周辺を越えて延びる、再封可能なカバー部材１００を備える。カバー部材１００は、カバー部材が少なくとも出し入れ口の上にある閉位置から、およびカバー部材１００がパッケージ１８の外表面から持ち上げられる開位置（図１に図示）から移動可能である。さらに、リッド１６を開口すると、再封可能なカバー部材２２が閉位置から開位置に向かって移動して、出し入れ口２０が少なくとも部分的に見えるように、再封可能なカバー部材１００は、リッド１６の内表面に永久的に貼り付けられている。
【００５７】
図１の実施形態において、再封可能な密封カバー部材１００は、出し入れ口２０の周辺を越えて延びる。再封可能な密封カバー部材１００は、再封可能な密封カバー部材１００の内表面の後部ヒンジ領域に提供された永久接着剤によって、少なくとも部分的に永久的にパッケージに貼り付けられている。さらに、再封可能な密封カバー部材１００は、出し入れ口２０の少なくとも前部縁端の周りに延びる再封可能な密封カバー部材１００の内表面の第二の領域上に提供された再密封可能な接着剤によって、少なくとも部分的に取り外し可能にパッケージ１８に貼り付けられている。永久接着剤および再密封可能な接着剤の配置は、図２〜４でよりよく示されていて、これは以下でより詳細に説明されている。
【００５８】
図２は、図１の再封可能な密封可能カバー部材１００の上部図２００および下部図３００を示す。図３は、断面４００に沿って見た再封可能な密封可能カバー部材１００の第一の断面図を示す。図４は、断面５００に沿って見た再封可能な密封可能カバー部材１００の第二の断面図を示す。
【００５９】
図２〜４から分かる通り、再封可能な密封カバー部材１００は、第一の部分１５０および第二の部分１７０を備える。
【００６０】
図３の断面図から分かる通り、第一の部分１５０では、再封可能な密封カバー部材１００は、基層１０２と、基層１０２の外側に提供された金属含有層１０４と、基層１０２の内側に提供された第一の高分子層１０６とを備える。基層１０２は紙の層であり、金属含有層１０４は銀インクの層であり、第一の高分子層１０６はポリプロピレンの層である。ポリプロピレンの第二の高分子層１０８は、金属含有層１０４と基層１０２の間に提供されている。プライマー層１１２は第一の高分子層１０６の内側に提供されていて、実質的に透明なワニス層１１０は金属含有層１０４の外側に提供されている。
【００６１】
再封可能な密封カバー部材１００の下側には、再密封可能な接着剤１１４および永久接着剤１１６を含む接着剤の配置が提供されている。接着剤１１４、１１６は、再封可能な密封カバー部材１００の第二の部分１７０にわたっては延びない。結果として、接着剤のないエリア１７１が、図２に示された再封可能な密封カバー部材１００の下側に見える。図２の接着剤のないエリア１７１は、再封可能な密封カバー部材１００の第二の部分１７０にわたってのみ延びるように示されているが、接着剤のない領域は、例えば再封可能な密封カバー部材１００の第一の部分１５０内に延びることによって、第二の部分１７０を越えて延びうることが理解される。
【００６２】
図４から分かる通り、第二の部分１７０では、再封可能な密封カバー部材１００はまた、基層１０２、第一の高分子層１０６、第二の高分子層１０８を含む。しかしながら、金属含有層１０４は第二の部分１７０内には延びず、代わりに黒色インクなどの非金属インク層１１８が第二のプライマー層１０８の外側に提供されている。プライマー層１２０は、非金属インク層１１８の外側に追加的に提供されている。
【００６３】
図２から分かる通り、上述の層配置の結果として、再封可能な密封カバー部材１００の上部図は主に、再封可能な密封カバー部材１００の第一の部分１５０において光沢のある金属の外観を有する。第二の部分１７０には金属の外観は提供されていないが、この部分は容器のリッドに固定されているため、消費者には簡単に見えない。スペアアウト部分１９０もまた、製造目的で見当合わせマークを提供するために、金属の外観なしにされている。しかしながら、金属含有層１０４は、希望に応じてこの部分１９０内に延びてもよい。再封可能な密封カバー部材１００の下側はまた、第一の高分子層１０６、プライマー層１１２および接着層１１４、１１６が実質的に透明である場合に、実質的に紙様の外観を有する。
【図１】
2019535601.tif 000003
【図２】
2019535601.tif 000004
【図３】
2019535601.tif 000005
【図４】
2019535601.tif 000006
【国際調査報告】
2019535601.tif 000007
2019535601.tif 000008
2019535601.tif 000009